(57)【要約】【課題】ターミナルとケーブルとの間の良好な電気接続を可能とする中継電線を提供すること。【解決手段】金属部材によって筒状に形成された電線本体部１０と、電線本体部１０の一端側において、電線本体部１０内に連通するように、ケーブル２０を挿入可能に形成された開口部１１と、電線本体部１０の他端側において、ターミナル１００のケーブル挿入口１１０に挿入可能に形成された先端部１２と、を備え、電線本体部１０は、開口部１１から当該電線本体部１０内に挿入されたケーブル２０の素線２１と接触することにより、ケーブル２０と電気接続し、先端部１２がケーブル挿入口１１０に挿入されてターミナル１００内の電気接続部材１２０に押圧固定されることにより、ターミナル１００と電気接続する、中継電線。【選択図】図１
2020077518.tif 000002
【特許請求の範囲】
【請求項１】
ターミナルと信号伝送用のケーブルとの間の電気接続を中継する中継電線であって、
金属部材によって筒状に形成された電線本体部と、
前記電線本体部の一端側において、前記電線本体部内に連通するように、前記ケーブルを挿入可能に形成された開口部と、
前記電線本体部の他端側において、前記ターミナルのケーブル挿入口に挿入可能に形成された先端部と、を備え、
前記電線本体部は、
前記開口部から当該電線本体部内に挿入された前記ケーブルの素線と接触することにより、前記ケーブルと電気接続し、
前記先端部が前記ケーブル挿入口に挿入されて前記ターミナル内の電気接続部材に押圧固定されることにより、前記ターミナルと電気接続する、
中継電線。
【請求項２】
前記金属部材は、複数の金属線によって形成された編組構造を呈する、
請求項１に記載の中継電線。
【請求項３】
前記先端部の少なくとも一部は、前記複数の金属線が溶接により束ねられる、
請求項２に記載の中継電線。
【請求項４】
前記金属部材は、前記ケーブルの素線と同一の金属材料により構成されている、
請求項１乃至３のいずれか一項に記載の中継電線。
【請求項５】
前記金属部材は、銅材を含んで構成されている、
請求項１乃至４のいずれか一項に記載の中継電線。
【請求項６】
前記電線本体部内の内径は、前記一端側から前記他端側に向かって、漸次減少する、
請求項１乃至５のいずれか一項に記載の中継電線。
【請求項７】
前記電線本体部は、押圧部材により外部から押圧された状態で配設され、
前記電線本体部は、当該押圧部材からの押圧により、前記ケーブルを当該電線本体部内に圧縮固定する、
請求項１乃至６のいずれか一項に記載の中継電線。
【請求項８】
前記押圧部材の前記電線本体部との当接面は，凹凸構造を有する、
請求項７に記載の中継電線。
【請求項９】
前記開口部の内径は、前記ケーブルの外径以上であり、
前記先端部の外径は、前記ケーブル挿入口の内径以下である、
請求項１乃至８のいずれか一項に記載の中継電線。
【発明の詳細な説明】
【技術分野】
【０００１】
本開示は、中継電線に関する。
【背景技術】
【０００２】
オーディオ機器等に使用される信号伝送用のケーブルが知られている。
【０００３】
この種のケーブルは、一般に、絶縁材料により被覆された状態で配設され、当該ケーブルの先端に剥き出された素線が、ターミナルに設けられたケーブル挿入口に挿入されることによって、ターミナルとの電気的な接続が行われている（例えば、特許文献１を参照）。
【先行技術文献】
【特許文献】
【０００４】
【特許文献１】国際公開第２００５／０１１０６７号
【発明の概要】
【発明が解決しようとする課題】
【０００５】
ところで、信号伝送時の信号劣化を抑制するため、この種のケーブルとして、ターミナルのケーブル挿入口よりも太いケーブルが用いられる場合がある。このような太いケーブルを用いる場合、そのままの状態では、ケーブルがターミナルのケーブル挿入口に挿入できないため、従来、ケーブル内の素線の一部をカットした後に、当該ケーブルをケーブル挿入口に挿入する手法等が採用されている。
【０００６】
しかしながら、かかる手法では、作業者が個別にケーブル内の素線のカットを行うため、ターミナルに接続する素線の本数が少な過ぎたり、ターミナルに接続する素線がばらけたりして、ケーブルとターミナルとの電気接続状態が不安定になる場合がある。又、その結果、信号伝送時の信号劣化が生じるおそれがある。加えて、かかる作業は、極めて煩雑であるという問題もある。
【０００７】
本開示は、上記の問題点に鑑みてなされたもので、ターミナルとケーブルとの間の良好な電気接続を可能とする中継電線を提供することを課題とする。
【課題を解決するための手段】
【０００８】
前述した課題を解決する主たる本開示は、
ターミナルと信号伝送用のケーブルとの間の電気接続を中継する中継電線であって、
金属部材によって筒状に形成された電線本体部と、
前記電線本体部の一端側において、前記電線本体部内に連通するように、前記ケーブルを挿入可能に形成された開口部と、
前記電線本体部の他端側において、前記ターミナルのケーブル挿入口に挿入可能に形成された先端部と、を備え、
前記電線本体部は、
前記開口部から当該電線本体部内に挿入された前記ケーブルの素線と接触することにより、前記ケーブルと電気接続し、
前記先端部が前記ケーブル挿入口に挿入されて前記ターミナル内の電気接続部材に押圧固定されることにより、前記ターミナルと電気接続する、
中継電線である。
【発明の効果】
【０００９】
本開示に係る中継電線によれば、ターミナルとケーブルとの間の良好な電気接続が可能である。
【図面の簡単な説明】
【００１０】
【図１】第１の実施形態に係る中継電線の全体構成を示す外観図
【図２】第１の実施形態に係る中継電線を長手方向に沿って切断した断面図
【図３】第１の実施形態に係る中継電線を短手方向に沿って切断した断面図
【図４Ａ】第１の実施形態に係る中継電線の取り付け方法について説明する図
【図４Ｂ】第１の実施形態に係る中継電線の取り付け方法について説明する図
【図５】第１の実施形態に係る中継電線がターミナルに取り付けられた状態を示す図
【図６】第２の実施形態に係る押圧部材の構成を示す図
【図７】第２の実施形態に係る押圧部材により、中継電線を外部から押圧した状態を示す図
【発明を実施するための形態】
【００１１】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１２】
（第１の実施形態）
［中継電線の構成］
以下、図１〜図５を参照して、第１の実施形態に係る中継電線の構成の一例について説明する。尚、本実施形態では、本発明に係る中継電線をオーディオ機器に適用する態様について、説明する。
【００１３】
図１は、本実施形態に係る中継電線１の全体構成を示す外観図である。図２は、本実施形態に係る中継電線１を長手方向に沿って切断した断面図である。図３は、本実施形態に係る中継電線１を短手方向に沿って切断した断面図である。
【００１４】
図４Ａ、図４Ｂは、本実施形態に係る中継電線１の取り付け方法について説明する図である。図４Ａは、中継電線１にケーブル２０を接続するときの作業を模式的に示す図である。図４Ｂは、図４Ａに続く工程で、中継電線１をターミナル１００に接続するときの作業を模式的に示す図である。
【００１５】
図５は、本実施形態に係る中継電線１がターミナル１００に取り付けられた状態を示す図である。
【００１６】
本実施形態に係る中継電線１は、例えば、オーディオ機器に適用される。そして、中継電線１は、オーディオ機器の本体から延在するケーブル２０と、オーディオスピーカに設けられたターミナル１００とを電気接続する。尚、本実施形態に係るケーブル２０は、ターミナル１００のケーブル挿入口１１０の内径よりも大きい外径を有するものである。
【００１７】
まず、図５を参照して、本開示に係るターミナル１００の構成について、説明する。
【００１８】
ターミナル１００は、例えば、筐体１００ａ、筐体１００ａの側面に形成されたケーブル挿入口１１０、筐体１００ａ内に配設された電気接続部材１２０、及び、筐体１００ａ内に電気接続部材１２０と対向する位置に配設された固定部材１３０を有している。
【００１９】
固定部材１３０は、例えば、作業者の操作によって、電気接続部材１２０に対して上下に移動可能に構成され、即ち、電気接続部材１２０に対して突出可能で且つ電気接続部材１２０側から退避可能に構成されている。固定部材１３０は、接続対象（本実施形態では、中継電線１）が筐体１００ａ内に挿入される前には、電気接続部材１２０から退避した位置に配設され、ケーブル挿入口１１０から筐体１００ａ内に接続対象が挿入され得る状態とする。又、固定部材１３０は、当該接続対象が筐体１００ａ内に挿入された後には、当該接続対象を電気接続部材１２０に押しつけるように、当該接続対象の上方から下降して（即ち、電気接続部材１２０側から退避した状態から電気接続部材１２０側に突出して）、当該接続対象を電気接続部材１２０との間で押圧固定する。これにより、電気接続部材１２０は、ケーブル挿入口１１０から筐体１００ａ内に挿入された接続対象と接触し、当該接続対象と電気的接続する。
【００２０】
尚、本開示に係るターミナル１００は、ケーブル挿入口１１０を有する従来公知の押圧固定式のターミナルであれば、任意の態様のものであってよい。
【００２１】
次に、中継電線１の構成について、説明する。
【００２２】
中継電線１は、筒状の電線本体部１０、電線本体部１０の一端側に形成された開口部１１、及び、電線本体部１０の他端側に形成された先端部１２を備えている。
【００２３】
中継電線１は、典型的には、電線本体部１０の一端側において、開口部１１を介して当該電線本体部１０内にケーブル２０を挿入させ、電線本体部１０の他端側において、先端部１２をターミナル１００のケーブル挿入口１１０に挿入させるように、用いられる。
【００２４】
電線本体部１０は、金属部材によって筒状に形成され、当該電線本体部１０内に、ケーブル２０の外形に沿うような中空部１０ａを有している。そして、電線本体部１０は、当該中空部１０ａの内周側面にて、当該電線本体部１０内に挿入されたケーブル２０の先端から剥き出された素線２１と接触することにより、ケーブル２０と電気接続する。
【００２５】
電線本体部１０内の中空部１０ａの内径は、典型的には、開口部１１側から先端部１２側に向かって、漸次減少する。これによって、電線本体部１０内にケーブル２０を差し込んだ際に、電線本体部１０の中空部１０ａの内周側面にてケーブル２０の先端の素線２１を圧縮するように、電線本体部１０内にケーブル２０を保持することができる。これにより、電線本体部１０内におけるケーブル２０の機械的安定性を確保している。又、これにより、電線本体部１０の内周側面とケーブル２０との間の接触面積を増加させ、良好な電気接続状態を確保している。
【００２６】
尚、電線本体部１０の外形は、典型的には、開口部１１側から先端部１２側に向かって外径が減少する円錐台形状を呈している。
【００２７】
電線本体部１０を構成する金属部材は、例えば、複数の金属線によって形成された編組構造を呈している。これによって、中継電線１を柔軟に変形可能としている。
【００２８】
電線本体部１０を構成する金属部材は、例えば、ケーブル２０の素線２１と同一の金属材料により構成され、典型的には、銅材を含んで構成されている。これによって、ケーブル２０とターミナル１００との間を、半田等の異種材料を介在させることなく電気接続し、信号伝送時に反射電力が生じにくい構成としている。
【００２９】
開口部１１は、電線本体部１０の一端側に形成され、電線本体部１０内の中空部１０ａに連通する。開口部１１は、例えば、ケーブル２０の外径以上の内径を有し、当該開口部１１を介して、中空部１０ａ内にケーブル２０を挿入可能に構成されている。尚、開口部１１の内径は、例えば、電線本体部１０を変形させることにより、可変とされている。
【００３０】
先端部１２は、電線本体部１０の他端側に形成された線状に延在する部位である。先端部１２は、ターミナル１００のケーブル挿入口１１０の内径以下の外径を有し、ターミナル１００のケーブル挿入口１１０に挿入可能に構成されている。
【００３１】
先端部１２は、ケーブル挿入口１１０に挿入されてターミナル１００内の電気接続部材１２０に押圧固定されることにより、当該電気接続部材１２０と電気接続する。
【００３２】
先端部１２は、例えば、電線本体部１０と一体的に構成されており、電線本体部１０の外径が、一端側（開口部１１側）から他端側に向かって徐々に縮小されることによって、当該電線本体部１０の他端側の先端として形成されている。
【００３３】
又、先端部１２の少なくとも一部は、例えば、電線本体部１０の編組構造を構成する複数の金属線の先端が溶接（例えば、アーク溶接）により束ねられることによって、形成されている。つまり、先端部１２は、ターミナル１００内の電気接続部材１２０によって押圧された際に柔軟に変形する。このように、先端部１２が柔軟に変形し得るようにすることで、先端部１２と電気接続部材１２０との接触面積が確保され、先端部１２と電気接続部材１２０との間における良好な電気接続状態が維持されることになる。
【００３４】
尚、電線本体部１０の外側領域は、絶縁処理又は酸化防止処理が施されるのが望ましい。これにより、中継電線１の外側に接触する異物に起因して、中継電線１が伝送する電気信号にノイズが重畳することを抑制することができる。又、これにより、中継電線１の電気特性の劣化を抑制することが可能である。絶縁処理又は酸化防止処理の手法としては、例えば、電着により、電線本体部１０の外側に絶縁膜又は酸化防止膜を形成する手法等を用いることができる。
【００３５】
［中継電線の取り付け方法］
次に、図４Ａ、図４Ｂ、図５を参照して、中継電線１の取り付け方法の一例について、説明する。尚、本実施形態に係る中継電線１の取り付けは、例えば、作業者の手作業によって、行われる。
【００３６】
中継電線１を用いて、ケーブル２０とターミナル１００との間の電気接続を行う際には、作業者は、以下のように作業を実施する。
【００３７】
まず、作業者は、先端に素線２１が剥き出された状態のケーブル２０を準備し、当該ケーブル２０を、中継電線１の開口部１１から電線本体部１０内に挿入する（図４Ａを参照）。
【００３８】
この際、作業者は、ケーブル２０の先端（素線２１）が電線本体部１０の中空部１０ａを押し拡げ、その反作用として、中空部１０ａの内周側面にて圧縮される程度まで、ケーブル２０を電線本体部１０内に押し込む。これにより、ケーブル２０の素線２１は、電線本体部１０の中空部１０ａの内周側面に押圧され、ケーブル２０の素線２１は、電線本体部１０の中空部１０ａの内周側面に保持され、且つ、電線本体部１０と電気的に接続した状態となる。
【００３９】
次に、作業者は、中継電線１の先端部１２を、ターミナル１００のケーブル挿入口１１０に挿入する（図４Ｂを参照）。
【００４０】
次に、作業者は、中継電線１の先端部１２がターミナル１００のケーブル挿入口１１０に挿入された状態で、ターミナル１００に設けられた固定部材１３０を、電気接続部材１２０側に下降させる（図５を参照）。これにより、ターミナル１００内にて、中継電線１の先端部１２は、固定部材１３０と電気接続部材１２０との間に挟持されるように押圧固定される。そして、これにより、中継電線１と電気接続部材１２０との間で電気接続が行われることになる。
【００４１】
以上のようにして、中継電線１は、ケーブル２０及びターミナル１００それぞれと電気接続し、ケーブル２０とターミナル１００との間における電気信号の授受を中継し得る状態となる。
【００４２】
［効果］
以上のように、本実施形態に係る中継電線１によれば、ターミナル１００のケーブル挿入口１１０の許容径以上の太さのケーブル２０を用いた場合にも、良好な電気接続状態を確保した状態で、ターミナル１００とケーブル２０との間を電気接続することができる。加えて、本実施形態に係る中継電線１によれば、ケーブル２０とターミナル１００との間を、半田等の異種材料を介在させることなく電気接続することができるため、信号伝送時に反射電力が生じにくく、信号伝送時の信号劣化を抑制することができる。
【００４３】
又、本実施形態に係る中継電線１によれば、簡易な作業にて、ターミナル１００とケーブル２０との間の電気接続を行うことができる点でも有用である。
【００４４】
又、特に、本実施形態に係る中継電線１は、柔軟な金属材料（特に、編組構造の金属材料）によって形成されている。そのため、先端部１２は、ターミナル１００内の電気接続部材１２０に押圧固定された際に、押し広げられるように変形することになる。その結果、先端部１２とターミナル１００内の電気接続部材１２０との間で、広い接触面積が確保されることになり、良好な電気接続状態を確保することができる。又、かかる構成によって、中継電線１をターミナル１００のケーブル挿入口１１０内に挿入する際の引き回しの自由度を確保することができる。
【００４５】
（第２の実施形態）
次に、図６、図７を参照して、第２の実施形態に係る中継電線１について説明する。
【００４６】
本実施形態に係る中継電線１は、押圧部材３０により外部から押圧され、当該押圧部材３０からの押圧によりケーブル２０を電線本体部１０内に圧縮固定する点で、第１の実施形態と相違する。尚、第１の実施形態と共通する構成については、説明を省略する。
【００４７】
図６は、本実施形態に係る押圧部材３０の構成を示す図である。図７は、本実施形態に係る押圧部材３０により、中継電線１を外部から押圧した状態を示す図である。
【００４８】
押圧部材３０は、例えば、一対の板状部材３０ａ、３０ｂによって構成されている。そして、一対の板状部材３０ａ、３０ｂが、中継電線１を上方と下方から挟持するようにして、中継電線１を外部から押圧する。一対の板状部材３０ａ、３０ｂは、例えば、中継電線１を間に挟んだ状態で、ボルトとナットを用いて締結固定され、これにより、中継電線１を外部から押圧する。
【００４９】
尚、本実施形態に係る一対の板状部材３０ａ、３０ｂそれぞれの中継電線１との当接面は、凹凸構造を有している。これにより、中継電線１の保持状態の機械的安定性を高めている。
【００５０】
以上のように、押圧部材３０を設けることによって、電線本体部１０内に対してケーブル２０を差し込んだ際に、電線本体部１０の内周側面にてケーブル２０の先端の素線２１を押圧固定するように、電線本体部１０内にケーブル２０を保持することができる。
【００５１】
これにより、電線本体部１０内におけるケーブル２０の機械的安定性を確保することができ、加えて、当該電線本体部１０の内周側面とケーブル２０との間の接触面積を増加させることができるため、良好な電気接続状態を確保することが可能となる。
【００５２】
尚、本実施形態のように、押圧部材３０を設ける場合には、ケーブル２０は、押圧部材３０に固定されることになる。そのため、電線本体部１０内の中空部１０ａの内径を、開口部１１側から先端部１２側に向かって漸次減少するような構成は、必ずしも必要ではない。
【００５３】
（その他の実施形態）
本発明は、上記実施形態に限らず、種々に変形態様が考えられる。
【００５４】
例えば、上記実施形態では、ターミナル１００の一例として、ケーブル挿入口１１０に挿入されたケーブル２０（上記実施形態では、中継電線１）を、上下方向の両側から挟持するように押圧固定する態様を示した。しかしながら、ターミナル１００は、ケーブル挿入口１１０にケーブル２０を挿入させることで、ケーブル２０を係止するタイプのものであれば、任意の態様のものであってよい。例えば、ターミナル１００としては、ケーブル挿入口１１０に挿入されたケーブル２０を、ボルトを用いて、電気接続部材１２０に押圧固定するものであってもよい。
【００５５】
又、上記実施形態では、中継電線１の一例として、複数の金属線によって形成された編組構造の金属部材を用いる態様を示した。しかしながら、中継電線１（電線本体部１０）は、柔軟に変形可能な態様であればよく、例えば、金属箔を筒状に巻いた構成のものであってもよい。
【００５６】
又、上記実施形態では、中継電線１の適用態様の一例として、オーディオ機器を示した。しかしながら、本発明に係る中継電線１は、オーディオ機器以外にもロボット等、種々のものに適用することができる。
【００５７】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００５８】
本開示に係る中継電線によれば、ターミナルとケーブルとの間の良好な電気接続が可能である。
【符号の説明】
【００５９】
１  中継電線
１０  電線本体部
１０ａ  中空部
１１  開口部
１２  先端部
２０  ケーブル
２１  素線
３０  押圧部材
３０ａ、３０ｂ  板状部材
１００  ターミナル
１００ａ  筐体
１１０  ケーブル挿入口
１２０  電気接続部材
１３０  固定部材
【図１】
2020077518.tif 000003
【図２】
2020077518.tif 000004
【図３】
2020077518.tif 000005
【図４Ａ】
2020077518.tif 000006
【図４Ｂ】
2020077518.tif 000007
【図５】
2020077518.tif 000008
【図６】
2020077518.tif 000009
【図７】
2020077518.tif 000010